(57)【要約】【課題】生ゴミを、効率良く縮小軽量化処理できる生ゴミ処理機を提供する。【解決手段】被処理物（２０）の出入口（２）を上向きに開口した処理槽（１）と、持ち上げ搬送力を具備したコンベアスクリュー（５）と、前記コンベアスクリュー（５）の軸上に覆い被せられ、桟（１４）で前記処理槽（１）内に固定され、下方に入口を開口し、周面には前記被処理物（２０）の通過を許容する大きさのチョッパー穴（１２）を穿設された筒体（１０）と、を備えた生ゴミ処理機において、前記コンベアスクリュー（５）を構成し、前記筒体（１０）の内部空間（６）に収納可能な逆円錐形の軸に最大外径を一致させたスクリュー羽根（８）と、前記筒体（１０）の内周面と前記コンベアスクリュー（５）との間に存在する内部空間（６）は、下方から上方に向かって徐々に狭まり、上端部が封鎖された構造とした。【選択図】    図１
2004181325.tif 000002
【特許請求の範囲】
【請求項１】
被処理物（２０）の出入口（２）を上向きに開口した処理槽（１）と、
前記処理槽（１）の床下に配設されたモータ（３）と、
前記モータ（３）の駆動力を処理槽（１）の内部に伝達する駆動力伝達機構（４）と、
前記駆動力伝達機構（４）に前記処理槽（１）の内部で接続され、持ち上げ搬送力を具備したコンベアスクリュー（５）と、
前記コンベアスクリュー（５）の上部を軸支する軸受（９）と、
前記軸受（９）を前記処理槽（１）の出入口（２）に近い中央部に固定する桟（１４）と、
前記コンベアスクリュー（５）の軸上に覆い被せられ、前記桟（１４）で前記処理槽（１）内に固定され、下方に入口を開口し、周面には前記被処理物（２０）の通過を許容する大きさのチョッパー穴（１２）を穿設された筒体（１０）と、を備えた生ゴミ処理機において、
前記コンベアスクリュー（５）を構成し、前記筒体（１０）の内部空間（６）に収納可能な逆円錐形の軸に最大外径を一致させたスクリュー羽根（８）と、
前記筒体（１０）の内周面と前記コンベアスクリュー（５）との間に存在する内部空間（６）は、下方から上方に向かって徐々に狭まり、上端部が封鎖された構造であることを特徴とする生ゴミ処理機。
【請求項２】
前記コンベアスクリュー（５）の入口に配され、前記コンベアスクリュー（５）の基底部（１３）と一体的に回転する回転刃（７）と、
前記駆動力伝達機構（４）に接続され前記コンベアスクリュー（５）とは逆方向の回転力を生ずる逆転機構（１６）と、
前記逆転機構（１６）に接続され、前記コンベアスクリュー（５）の入口近傍で前記被処理物（２０）を撹拌する撹拌翼（１７）と、を備えたことを特徴とする請求項１に記載の生ゴミ処理機。
【請求項３】
前記スクリュー羽根（８）の終端部で前記筒体（１０）の内周面と平行な刃面が前記スクリュー羽根（８）の回転方向に刃が進むように構成された切刃（１８）と、
前記筒体（１０）の外周において、前記被処理物（２０）が前記筒体（１０）の下方へ移動する際に、前記コンベアスクリュー（５）および前記回転刃（７）の回転方向とは逆方向の渦巻きを生じるような方向性を持って配設された案内板（１１）と、
前記筒体（１０）の周面において、前記チョッパー穴（１２）の近傍に前記チョッパー穴（１２）より小さく穿設された小穴（３７）と、を備えたことを特徴とする請求項１または請求項２に記載の生ゴミ処理機。
【請求項４】
前記処理槽（１）を加熱保温する加熱保温手段を備えたことを特徴とする請求項１ないし請求項３の何れか１項に記載の生ゴミ処理機。
【請求項５】
前記処理槽（１）に送風機（３０）と排気口（３２）を備えたことを特徴とする請求項１ないし請求項４の何れか１項に記載の生ゴミ処理機。
【請求項６】
前記コンベアスクリュー（５）の基底部（１３）と前記駆動力伝達機構（４）の回転軸結合とを着脱自在にする角軸嵌合部（１５）を備えたことを特徴とする請求項１ないし請求項５の何れか１項に記載の生ゴミ処理機。
【請求項７】
前記コンベアスクリュー（５）には軸中心部に通気可能な中空軸管（３６）と、
前記中空軸管（３６）の随所に穿設された温風吹き出し穴（３８）と、
前記中空軸管（３６）の上端に接続して温風を導入可能にする温風導入管（３５）と、
前記温風導入管（３５）に接続して温風を送風する温風送風手段（３４）と、を備えたことを特徴とする請求項１〜６の何れか１項に記載した生ゴミ処理機。
【発明の詳細な説明】
【０００１】
【発明の属する技術分野】
本発明は、生ゴミを粉砕し、水分を減らすなどして縮小軽量化する生ゴミ処理機に関する。
【０００２】
【従来の技術】
この種の技術として、例えば、モータにて回転駆動される案内板が納められている処理槽内に、水分調整用であり且つ微生物の担体であるおがくずや木粉からなる調整材を入れ、微生物による発酵作用により、生ゴミを無害な水（蒸発）、気体（放散）および肥料となる残りかすに変化させる過程で、その残りかすの容積を縮小するようにした生ゴミ処理機が開示されている（特許文献１参照）。
【０００３】
また、スクリューコンベアを用いることにより、装置が簡単で設備コストが格段に低減でき、また撹拌と粉砕の調節が容易にでき、且つ撹拌粉砕と同時に水分や酸素濃度の調節等もできるようにした撹拌粉砕装置が開示されており（例えば、特許文献２参照）、撹拌用スクリューを回転させることにより、処理槽下部に堆積した被処理物はその底部から案内板部によって全体が撹拌されながら、スクリューコンベア部によって撹拌筒内に圧送されるものである。その際、被処理物は、撹拌筒の下端に形成された鋸刃によって破砕されながら撹拌筒内に圧送され、且つ一部が円筒壁に形成された粉砕用穴から押し出されることによって粉砕される。粉砕用穴及び撹拌筒の上部開口部周縁から押し出された被処理物は、分散状態で自然落下して再び堆積部に達し、その循環を繰り返すことにより目的を達成する。
【０００４】
また、油脂分や御飯類及び水分が多く含まれている生ごみであっても、団子状とならず効果的に粉砕処理ができ、従来よりも短時間に分解処理できる撹拌粉砕装置が開示されており（例えば、特許文献３参照）、処理槽の内部に、その上部には、粉砕用穴が形成された円筒状の撹拌筒内に嵌合するように回転駆動可能に撹拌スクリューが設けられており、撹拌スクリューは、撹拌筒内に嵌合している部分が圧送部を構成し、撹拌筒の下端からの突出部分が、撹拌筒の外径よりも大きい回転径を有する撹拌粉砕導入部を構成している。撹拌破砕導入部は、渦巻螺旋状となっているので、その外周面が撹拌作用を奏し、且つその外周面に粉砕用切り込みが形成されているので、被処理物を破砕する作用も奏するようにした撹拌粉砕装置である。
【０００５】
【特許文献１】
特開平８−２４８２６号公報
【特許文献２】
特許２５３３４５８（特開平７−８８３０）号公報
【特許文献３】
特開２００２−２３３７８６号公報
【０００６】
【発明が解決しようとする課題】
しかしながら、主に食堂、レストラン、病院、学校などの厨房設備から生ずる生ゴミを粉砕しながら乾燥させるなどの縮小軽量化処理する生ゴミ処理機においては、当該生ゴミ処理機の粉砕機構の効率が処理能力に影響するので、成分、形状および大きさが不揃いな生ゴミを、いかにして短時間で均等に粒を揃えた状態に粉砕加工するかという問題があった。
本発明は、前記課題を解決するためになされたものであり、粉砕効率の観点から生ゴミの縮小軽量化処理を効率良くした生ゴミ処理機を提供することを目的としている。
そして、微生物による発酵作用を応用した生ゴミ処理機を提供することを課題とする。
【０００７】
【課題を解決するための手段】
前記目的を達成するために、請求項１に記載の発明は、被処理物（２０）の出入口（２）を上向きに開口した処理槽（１）と、前記処理槽（１）の床下に配設されたモータ（３）と、前記モータ（３）の駆動力を処理槽（１）の内部に伝達する駆動力伝達機構（４）と、記駆動力伝達機構（４）に前記処理槽（１）の内部で接続され、持ち上げ搬送力を具備したコンベアスクリュー（５）と、前記コンベアスクリュー（５）の上部を軸支する軸受（９）と、前記軸受（９）を前記処理槽（１）の出入口（２）に近い中央部に固定する桟（１４）と、前記コンベアスクリュー（５）の軸上に覆い被せられ、前記桟（１４）で前記処理槽（１）内に固定され、下方に入口を開口し、周面には前記被処理物（２０）の通過を許容する大きさのチョッパー穴（１２）を穿設された筒体（１０）と、を備えた生ゴミ処理機において、前記コンベアスクリュー（５）を構成し、前記筒体（１０）の内部空間（６）に収納可能な逆円錐形の軸に最大外径を一致させたスクリュー羽根（８）と、前記筒体（１０）の内周面と前記コンベアスクリュー（５）との間に存在する内部空間（６）は、下方から上方に向かって徐々に狭まり、上端部が封鎖された構造であることを特徴とする。
【０００８】
請求項１に記載の発明によれば、前記処理槽（１）の上部で上向きに開口した出入口（２）から前記被処理物（２０）を投入すると、その被処理物（２０）は、前記処理槽（１）の底方向へ移動し、持ち上げ搬送力を具備したコンベアスクリュー（５）の入口に近づく。
【０００９】
前記筒体（１０）内部は、前記逆円錐形の軸太部で狭くなり、その内部空間（６）には、前記逆円錐形の軸に最大外径を一致させたスクリュー羽根（８）の搬送作用に応じて、前記被処理物（２０）が搬入され、内圧を高められるが、上端部が封鎖された構造であるために、前記被処理物（２０）の通過を許容する大きさのチョッパー穴（１２）から、ひき肉の要領で前記被処理物（２０）を前記処理槽（１）内へと押し出す。
【００１０】
このように、コンベアスクリュー（５）持ち上げ搬送力により、筒体（１０）へ圧入されて行き場を無くした前記被処理物（２０）は、前記筒体（１０）の周面に穿設されたチョッパー穴（１２）を通って筒体（１０）から排出される。この時、チョッパー穴（１２）より大きければ、通過できないので、前記被処理物（２０）は通過を許容される大きさに変形し切り刻まれながらチョッパー穴（１２）を通過する。
【００１１】
従って、生ゴミの縮小軽量化処理を効率良くした生ゴミ処理機を提供できる。そして、微生物による発酵作用を応用した生ゴミ処理機にも応用できる。
【００１２】
請求項２に記載の発明は、請求項１に記載の発明において、前記コンベアスクリュー（５）の入口に配され、前記コンベアスクリュー（５）の基底部（１３）と一体的に回転する回転刃（７）と、前記駆動力伝達機構（４）に接続され前記コンベアスクリュー（５）とは逆方向の回転力を生ずる逆転機構（１６）と、前記逆転機構（１６）に接続され、前記コンベアスクリュー（５）の入口近傍で前記被処理物（２０）を撹拌する撹拌翼（１７）と、を備えたことを特徴とする。
【００１３】
請求項２に記載の発明によれば、請求項１に記載の発明の構成に加えて、逆転機構（１６）と、撹拌翼（１７）と、を備えたので、前記コンベアスクリュー（５）とは逆方向に回転する撹拌翼（１７）により、処理槽（１）の底に溜まった処理物（２０）は、前記処理槽（１）の底面近くで入口を下に開口した前記コンベアスクリュー（５）の入口へ、前記被処理物（２０）を強制的にねじ込まれるように円滑に移動する。従って、処理速度が上がる。
【００１４】
請求項３に記載の発明は、請求項１または請求項２に記載の発明において、前記スクリュー羽根（８）の終端部で前記筒体（１０）の内周面と平行な刃面が前記スクリュー羽根（８）の回転方向に刃が進むように構成された切刃（１８）と、前記筒体（１０）の外周において、前記被処理物（２０）が前記筒体（１０）の下方へ移動する際に、前記コンベアスクリュー（５）および前記回転刃（７）の回転方向とは逆方向の渦巻きを生じるような方向性を持って配設された案内板（１１）と、前記筒体（１０）の周面において、前記チョッパー穴（１２）の近傍に前記チョッパー穴（１２）より小さく穿設された小穴（３７）と、を備えたことを特徴とする。
【００１５】
請求項３に記載の発明によれば、請求項１または請求項２に記載の発明の構成に加えて、前記切刃（１８）と、案内板（１１）と、小穴（３７）と、を備えたので、前記筒体（１０）の外周に配設された案内板（１１）に沿って、前記被処理物（２０）が前記筒体（１０）の下方へ移動する際に、前記コンベアスクリュー（５）および前記回転刃（７）の回転方向とは逆方向の渦巻きを生じる。そうすると前記コンベアスクリュー（５）の入口に向かって、前記被処理物（２０）が、速やかに吸い込まれるように作用する。しかも、前記回転刃（７）に対する相対速度を高くする方向の渦巻きのため、前記回転刃（７）がより多く切削加工する作用もある。
【００１６】
さらに、初期粉砕されたとしても、目づまりしがちな長い繊維質または塊状の生ゴミを含んだ前記被処理物（２０）の場合にも、細かく潰されて前記小穴（３７）からも排出され目づまりを防止する。このようにして、コンベアスクリュー（５）を詰まらせず、前記モータ（３）および前記駆動力伝達機構（４）に無理なく効率の良い運転ができる。
【００１７】
請求項４に記載の発明は、請求項１ないし請求項３の何れか１項に記載の発明において、前記処理槽（１）を加熱保温する加熱保温手段を備えたことを特徴とする。
【００１８】
請求項４に記載の発明によれば、請求項１ないし請求項３の何れか１項に記載の発明に加えて、前記加熱保温手段を備えたので、前記被処理物（２０）をヒータなどで加熱し水分の蒸発を促して乾燥させることにより、生ゴミ処理の時間を短縮できる。また、微生物の発酵作用を併用する場合には、活性化に寄与する最適温度に設定できる。
【００１９】
請求項５に記載の発明は、請求項１ないし請求項４の何れか１項に記載の発明において、前記処理槽（１）に送風機（３０）と排気口（３２）を備えたことを特徴とする。
【００２０】
請求項５に記載の発明は、請求項１ないし請求項４の何れか１項に記載の発明に加えて、前記送風機（３０）と前記排気口（３２）を備えたので、水分を多量に含んだ前記被処理物（２０）に送風して換気することにより水分の蒸発を促し乾燥させるので、生ゴミ処理の時間を短縮できる。また、好気性微生物の発酵作用を併用する場合には、活性化に寄与する最適の雰囲気に設定できる。
【００２１】
請求項６に記載の発明は、請求項１ないし請求項５の何れか１項に記載の発明において、前記コンベアスクリュー（５）の基底部（１３）と前記逆転機（１６）の回転軸結合を着脱自在にする角軸嵌合部（１５）を備えたことを特徴とする。
【００２２】
請求項６に記載の発明によれば、請求項１ないし請求項５の何れか１項に記載の発明の構成に加えて、前記角軸嵌合部（１５）を備えたので、前記コンベアスクリュー（５）を、その基底部（１３）にある前記角軸嵌合部（１５）で前記逆転機構（１６）と回転軸結合して生ゴミ処理機を作動させる。
【００２３】
一方、処理の完了した前記被処理物（２０）を前記処理槽（１）から排出し、その内部を掃除したりする際は、排出作業および清掃作業などの邪魔にならないように、前記コンベアスクリュー（５）を、その基底部（１３）にある前記角軸嵌合部（１５）で取り外すことができるので、作業が効率的に進められる。なお、前記コンベアスクリュー（５）に付随して前記筒体（１０）も同時に取り外すことができる。
【００２４】
請求項７に記載の発明は、請求項１ないし請求項６の何れか１項に記載の発明において、前記コンベアスクリュー（５）には軸中心部に通気可能な中空軸管（３６）と、前記中空軸管（３６）の随所に穿設された温風吹き出し穴（３８）と、前記中空軸管（３６）の上端に接続して温風を導入可能にする温風導入管（３５）と、前記温風導入管（３５）に接続して温風を送風する温風送風手段（３４）と、を備えたことを特徴とするので、コンベアスクリュー（５）の下部より温風を吹き出させ効率良く処理物を乾燥させることができる。
【００２５】
【発明の実施の形態】
以下、図面に沿って、本発明に係る一実施形態について説明する。図１は、本発明の一実施形態の概略構成を示す一部縦断面による模式図であり、加熱保温手段であるヒータ（図略）付きの処理槽１が、生ゴミを主とする被処理物２０（矢印で模式的に図示）の出入口２を上向きに開口し、被処理物２０を上から入れて処理し、処理完了後に上から取り出す家庭用洗濯機のような据置き利用の形態を示している。ただし、家庭用ではなく業務用を想定した実施形態である。
なお、図示しない反転可能な支持装置により、処理槽１全体を支持し、適宜にさかさまに反転して下向きに開口した出入口２から被処理物２０を排出してもよい。
【００２６】
処理槽１の床下にはモータ３が配設され、モータ３の駆動力はベルト掛けまたは歯車減速（図略）した駆動力伝達機構４から、逆転機構１６に配設された角型断面の凸型駆動軸により、着脱自在の角軸嵌合部１５を介して、処理槽１の内部にあるコンベアスクリュー５の基底部１３に配設された凹型従動軸まで回転軸結合して伝達される。
【００２７】
なお、角軸嵌合部１５に関する詳細な図解は省略するが、適時に着脱自在であり、その凹部は下向きに開口しているので、凹部に詰まった被処理物２０も自然落下などにより外しやすい。
【００２８】
コンベアスクリュー５に同軸上で覆い被せられた筒体１０は処理槽１の底面近くで、入口を下向きに開口し、コンベアスクリュー５の持ち上げ搬送力により被処理物２０を筒体１０に圧入する。
【００２９】
コンベアスクリュー５は、筒体１０の内部空間６に収納可能な逆円錐形の軸に最大外径を一致させたスクリュー羽根８を配設し、筒体１０の下方では入口が広く開口し、筒体１０の上方では内部空間６が徐々に狭まるように構成されている。
【００３０】
従って、筒体１０の内部空間６は逆円錐形の軸太部で狭くなるので、処理完了した被処理物２０を処理槽１から排出する際に、筒体１０の内部空間６でスクリュー羽根８に絡み付いて離れない滞留分を少なくすることにより、稼働率を高くできるようになっている。
【００３１】
筒体１０の周面には被処理物２０の通過を許容する大きさのチョッパー穴１２を穿設してあり、コンベアスクリュー５の持ち上げ搬送力により筒体１０に圧入された被処理物２０は、筒体１０の上方で徐々に狭まる内部空間６から逃げ場を求めてチョッパー穴１２又は穴３７より筒体１０の外部へと脱出する。
【００３２】
この時、被処理物２０は、チョッパー穴１２が規制する断面形状に成形され、ひき肉状態または、ところてん式に押し出される。従って、チョッパー穴１２により、所望の断面形状の被処理物２３が得られる。なお、本実施形態では、前記周面に合計１２個のチョッパー穴１２が分散して穿設されている。チョッパー穴１２の上下中間部分は処理物が排出されずつまりやすいため小さな穴３７をあけ処理物の下から上への圧送を助ける役目をする。
【００３３】
チョッパー穴１２は被処理物２に対して、これを切り刻む刃物類の作用があり、刃物類と被処理物２０との相対速度を適切に加減することにより、裁断または粉砕の効果を最適条件に設定できる。そして、チョッパー穴１２より筒体１０の外部へと、ひき肉状態または、ところてん式に押し出される。
【００３４】
筒体１０の外周には案内板１１が、筒体１０の周面にチョッパー穴１２及び穴３７を避けるように配設され、処理槽１の上部で上向きに開口した出入口２から被処理物２０である生ゴミを投入すると、その被処理物２０は、処理槽１の内壁と筒体１０の外周の間を、処理槽１の底方向へと吸い込まれるように、上から下へと搬送される。
【００３５】
また、コンベアスクリュー５の入口に配設されコンベアスクリュー５の基底部１３と一体的に回転する回転刃７により、コンベアスクリュー５の入口の前で被処理物２０は初期粉砕され、長い繊維質または塊状の生ゴミを含んでいる場合にも、コンベアスクリュー５を詰まらせず、モータ３および駆動力伝達機構４に無理なく効率良い運転ができる。
【００３６】
また、処理槽１の壁芯には被処理物２０を加熱保温するヒータ（図略）を備えており、被処理物２０をヒータで加熱し、水分の蒸発を促して乾燥を早める一方、微生物の発酵作用を併用する場合には、活性化に寄与する最適温度、例えば７０〜８０°Ｃに設定することにより、生ゴミ処理の時間を短縮できる。
【００３７】
また、処理槽１に送風機３０と排気口３２を備え、水分を多量に含んだ被処理物２０に送風して換気することにより水分の蒸発を促して乾燥を早める一方、好気性微生物の発酵作用を併用する場合には、活性化に寄与する最適な水分、例えば６０〜７０％に設定し、乾燥させるので、生ゴミ処理の時間を短縮できる。
【００３８】
生ゴミ処理機の作動中は、コンベアスクリュー５を、その基底部１３にある角軸嵌合部１５で駆動力伝達機構４と回転軸結合する一方、処理の完了した被処理物２０を処理槽１から排出し、その内部を掃除したりする際は、コンベアスクリュー５の基底部１３にある角軸嵌合部１５を切り離すことにより、駆動力伝達機構４から取り外すことができるので、排出作業および清掃作業などの邪魔になる障害物がなくなって、作業が効率的に進められる。
【００３９】
なお、筒体１０とコンベアスクリュー５との結合は、軸受９を介して着脱自在となっている。
【００４０】
図２は金属製のコンベアスクリュー５の外観説明図であり、筒体１０の内部空間６で回転自在に収納可能な外形であり、筒体１０の内径より僅かに小さな直径に最大外径を一致させたスクリュー羽根８が、逆円錐形の外周上に配設されている。コンベアスクリュー５の上部には切刃１８が備え付けられて筒体１０上部の穴より固形物が排出される際に切断する。
【００４１】
図３は金属製の筒体１０の外観説明図であり、コンベアスクリュー５を収納し、内部空間６を少なくして、所望の搬送能力を維持するようにスクリュー羽根８および逆円錐形の軸とによる固体搬送効率が良くなるように構成されている。
【００４２】
なお、図１〜３は、何れも本発明の特徴を明示するための模式図およひ外観説明図である。従って、通常の設計図のように機械製図上の厳密性を確保した図面ではない。
また、規模と使用頻度の違い、さらに、連続運転と間欠運転の違いなどに応じ、業務用と家庭用の両方に実施可能である。
【００４３】
【発明の効果】
以上説明したように構成したので、請求項１に記載の発明によれば、生ゴミの縮小軽量化処理を効率良くした生ゴミ処理機を提供できる。そして、微生物による発酵作用を応用した生ゴミ処理機にも応用できる。
【００４４】
また、請求項２に記載の発明によれば、処理槽の底に溜まった処理物は、処理槽の底面近くで入口を下に開口したコンベアスクリューの入口へ、被処理物を強制的にねじ込まれるように円滑に移動する。従って、処理速度が上がる。
【００４５】
また、請求項３に記載の発明によれば、コンベアスクリューの入口に向かって、被処理物が、速やかに吸い込まれるように作用する。しかも、回転刃に対する相対速度を高くする方向の渦巻きのため、回転刃がより多く切削加工する作用もある。
さらに、初期粉砕されたとしても、目づまりしがちな長い繊維質または塊状の生ゴミを含んだ被処理物の場合にも、細かく潰されて小穴からも排出され目づまりを防止する。このようにして、コンベアスクリューを詰まらせず、モータおよび駆動力伝達機構に無理なく効率の良い運転ができる。
【００４６】
また、請求項４または請求項５に記載の発明によれば、水分の蒸発を促して乾燥させることにより、生ゴミ処理の時間を短縮できる。また、微生物の発酵作用を併用する場合には、被処理物をヒータで加熱し活性化に寄与する最適温度に設定できる外、好気性微生物の発酵作用を併用する場合には、被処理物に送風して換気することにより、活性化に寄与する最適の雰囲気を設定できる。
【００４７】
また、請求項６に記載の発明によれば、コンベアスクリューを、その基底部にある角軸嵌合部で駆動力伝達機構と回転軸結合して生ゴミ処理機を作動させることができる。一方、処理の完了した被処理物を処理槽から排出し、その内部を掃除したりする際は、排出作業および清掃作業などの邪魔にならないように、コンベアスクリューを、その基底部にある角軸嵌合部で取り外すことができるので、作業が効率的に進められる。なお、コンベアスクリューに付随して筒体も同時に取り外せる。
【００４８】
また、請求項７に記載の発明によれば、コンベアスクリューの下部より温風を吹き出させ効率良く処理物を乾燥させることができる。
【００４９】
【図面の簡単な説明】
【図１】本発明の一実施形態の概略構成を示す一部縦断面による模式図である。
【図２】コンベアスクリューの外観説明図である。
【図３】筒体の外観説明図である。
【符号の説明】
１  処理槽
２  出入口
３  モータ
４  駆動力伝達機構
５  コンベアスクリュー
６  内部空間
７  回転刃
８  スクリュー羽根
９  軸受
１０  筒体
１１  案内板
１２  チョッパー穴
１３  基底部
１４  桟（さん）
１５  角軸嵌合部
１６  逆転機構
１７  撹拌翼
１８  切刃
１９  蝶ナット
２０，２１，２２，２３  被処理物
３０  送風機
３１  空気
３２  排気口
３３  湿った空気
３４  温風送風手段
３５  温風導入管
３６  中空軸管
３７  目詰まり防止用の小穴
３８  温風吹き出し穴
【図１】
2004181325.tif 000003
【図２】
2004181325.tif 000004
【図３】
2004181325.tif 000005